(57)【要約】【課題】構造が簡単で、安価とする。【解決手段】生体に触れる面に吸水性シートを備え、この吸水性シートの外側に防水シートを備えたおむつ本体部１０と、前記おむつ本体部１０が生体に装着されたときに、前記おむつ本体部における肛門が位置する部位に形成された穴１８と、前記穴１８から外側に便を収納する空間を備える便袋２０と、前記穴１８と前記便袋２０の開口部とを結合する結合部２３と、前記結合部２３に設けられ、該結合部２３における開口を維持させると共に床側からおむつ本体部を離間させる緩衝部材２４とを具備する。【選択図】図１
2014000327.tif 000002
【特許請求の範囲】
【請求項１】
生体に触れる面に吸水性シートを備え、この吸水性シートの外側に防水シートを備えたおむつ本体部と、
前記おむつ本体部が生体に装着されたときに、前記おむつ本体部における肛門が位置する部位に形成された穴と、
前記穴から外側に便を収納する空間を備える便袋と、
前記穴と前記便袋の開口部とを結合する結合部と、
前記結合部に設けられ、該結合部における開口を維持させると共に床側からおむつ本体部を離間させる緩衝部材と
を具備することを特徴とするおむつ。
【請求項２】
開口維持部材として結合部に厚みを持たせる緩衝部材を設け、
緩衝部材は、前記便袋の開口部の部材及び／または穴部付近のおむつ本体部による部材によって構成されることを特徴とする請求項１に記載のおむつ。
【請求項３】
緩衝部材は、便袋の一部とおむつ本体部の一部以外の部材を含むことを特徴とする請求項２に記載のおむつ。
【請求項４】
開口維持部材として、屈曲により形状を変化させる線材または棒材を設けたことを特徴とする請求項１乃至３のいずれか１項に記載のおむつ。
【請求項５】
緩衝部材は、臀部が当接するおむつ本体部の内側または外側に設けられた弾性を有する弾性ブロックであることを特徴とする請求項１乃至４のいずれか１項に記載のおむつ。
【請求項６】
請求項１乃至５のいずれか１項に記載のおむつにおける便袋の内部に取り外し可能に介装される袋により構成されることを特徴とするインナー便袋。
【発明の詳細な説明】
【技術分野】
【０００１】
この発明は、医療的立場から好適なおむつと、このおむつの便袋内部に介装することのできるインナー便袋に関するものである。
【背景技術】
【０００２】
今日、日本においては高齢化社会を迎えるに至り、高齢者の介護が問題となっている。特に、おむつの需要は高くなっていると共に多様な種類のものが登場しており、その数は１５００種類にも及ぶと言われている。しかしながら、これらの各種のおむつはそれぞれに特徴があるものの、特に医療の立場からは必ずしも満足されているものは少ないのが現状である。
【０００３】
特に、緩い便がおむつの肛門に対向する部分から背中や腰全体に回り込むことが問題とされる。この場合、便由来の細菌が尿路（特に女性の尿路）に入り込み、尿路感染して膀胱炎を発症する危険性が高い。また、寝た切りの患者においては仙骨部分の褥瘡に汚物が付着することで、褥瘡が治癒する暇がなく、むしろ症状の悪化の危険性がある。これらの感染症の治療には、一般的に抗生物質が使用されることが広く行われているものの、その使用過多によりＭＲＳＡ（メチシリン耐性黄色ブドウ球菌）感染症などが発症することもある。この感染症には効果のある抗生物質が希少であり、院内感染が起こることも想定され、極めて重篤な状態となることも考えられる。このような事情から、免疫力が低下している患者（特に老人）については、上記の感染症の発症防止が急務となっているものの、現状で市販されているおむつによっては便の飛散を防止することができず、極めて深刻な問題である。
【０００４】
左右の大臀筋の間には仙骨が存在し、大臀筋が減少するにつれて、仙骨が臀部よりも外側へ突出した状態の人が仰臥位で寝た場合には、上記仙骨が体重で寝具側へ押し付けられて圧迫される。ここで、人が寝た状態において各部位に加わる重みを考察すると次のようである。即ち、仰臥位で真直ぐ寝ると腰の部分に体重の約半分の重みが加わる。例えば、体重５０Ｋｇの人については、２５Ｋｇ程度の値を持つことになる。このため、仙骨の先端部の血流が悪くなる。血流が悪くなると、血液に含まれる白血球が到来せず、細菌に対して防御機能も弱くなる。
【０００５】
また、仙骨の下側には肛門があり、特に寝た切りの人においては、肛門から排泄された大便が付着する可能性も高い。大便には大腸菌などの細菌が多く含まれており、また、便そのものが強アルカリ性であることも知られている。従って、肌に大便が付着した場合には痒みを生じる。痒みを生じた場合に掻いたり、或いは寝ている間の寝具との間の摩擦により、仙骨先端の尾骨上の皮膚が傷つき破れたり、更に、便の付着により細菌が繁殖するなどの繰り返しが生じ、ついには褥瘡（床擦れ）が発生する。
【０００６】
寝た切りなどの人に生じる褥瘡は、その７０％がこの仙骨先端の尾骨上の皮膚に生じると言われている。老人などの寝た切りの人の多くはおむつを使用している。ここで使用されているおむつはお尻全体に巻き付けるようにセットされる。そして、フラットタイプのおむつであってもパンツタイプのおむつであっても肛門から排泄された便を直接にポリマー配合の吸水層において受けるように構成されており、大臀筋が減少した老人などにおいては上記便が背中側へ回ってしまうことになる。特に、排便から時間が経過するに従って、体動によって便がおむつ内の各部に広がることになり、褥瘡が生じている人にとっては大きな問題である。
【０００７】
既に仙骨先端の尾骨部分に褥瘡が発生している場合には、上記のように便が回って患部が汚染されるばかりか、その部分が治療のためにガーゼや絆創膏などの治療用品によって覆われていたとしても、治療用品が汚染されることになる。従って、排便の度に患部が汚れて治癒しないことになる他、治療用品の取り換え消毒が必要となり、消毒によっても患部が刺激され治癒が遅れる原因にもなっている。
【０００８】
大便により汚染される範囲を減少・限定させて介護者と被介護者の肉体的・精神的負担を軽減させることも大きな課題である。
【０００９】
従来のおむつとして、例えば、排便プレートが腹部固定用バンドに着脱可能であり、排便プレートに取り外し可能な排便用ゴム製便袋により、洗浄して再使用するおむつが知られている（特許文献１参照）。
【００１０】
医療の立場から歓迎されるおむつの条件は、（１）尿路感染になりにくい、（２）便には様々な細菌類が含まれているばかりでなく、消化液という化学的刺激物が含まれているが、これらが付着したまま放置しても刺激性の接触皮膚炎になりにくい、（３）接触皮膚炎を発症した場合にその細菌により床擦れ（褥瘡）ができにくい、（４）現状のおむつは平坦であり、便が腰全体または背中の方へ移動回り込みすることで、特に女性は外陰部皮膚疾患を引き起こしやすいが、これに対処できること、（５）便が腰全体または背中の方へ移動回り込むことを防止できることである。
【先行技術文献】
【特許文献】
【００１１】
【特許文献１】実用新案登録第３１１３４０１号明細書
【発明の概要】
【発明が解決しようとする課題】
【００１２】
以上のような医療の立場から、（ａ１）便と尿とが混じり合うことがなく、好ましくは便と尿を分離することができる、（ａ２）便が腰や背中へ回り込みにくい、（ａ３）排泄の後には皮膚と便との接触がないこと、（ａ４）排泄物の処理が簡単容易であること、などの特性を有するおむつが求められている。また、一般的に構造が簡単で、安価であることもおむつの重要な要素である。
【００１３】
本発明は、上記のような要望に鑑みてなされたもので、その目的は、上記ａ１〜ａ４の特性を満たすと共に、構造が簡単で、安価とすることが可能なおむつを提供することである。
【課題を解決するための手段】
【００１４】
本発明に係るおむつは、生体に触れる面に吸水性シートを備え、この吸水性シートの外側に防水シートを備えたおむつ本体部と、前記おむつ本体部が生体に装着されたときに、前記おむつ本体部における肛門が位置する部位に形成された穴と、前記穴から外側に便を収納する空間を備える便袋と、前記穴と前記便袋の開口部とを結合する結合部と、前記結合部に設けられ、該結合部における開口を維持させると共に床側からおむつ本体部を離間させる緩衝部材とを具備することを特徴とする。
【００１５】
本発明に係るおむつは、開口維持部材として結合部に厚みを持たせる緩衝部材を設け、緩衝部材は、前記便袋の開口部の部材及び／または穴部付近のおむつ本体部による部材によって構成されることを特徴とする。
【００１６】
本発明に係るおむつは、緩衝部材は、便袋の一部とおむつ本体部の一部以外の部材を含むことを特徴とする。
【００１７】
本発明に係るおむつは、開口維持部材として、屈曲により形状を変化させる線材または棒材を設けたことを特徴とする。
【００１８】
本発明に係るおむつは、緩衝部材は、臀部が当接するおむつ本体部の内側または外側に設けられた弾性を有する弾性ブロックであることを特徴とする。
【００１９】
本発明に係るインナー便袋は、請求項１乃至５のいずれか１項に記載のおむつにおける便袋の内部に取り外し可能に介装される袋により構成されることを特徴とする。
【発明の効果】
【００２０】
本発明に係るおむつによれば、おむつ本体部から便袋へ至る穴と便袋の開口部とを結合する結合部における開口を維持させると共に床側からおむつ本体部を離間させる緩衝部材が設けられているので、便と尿とが混じり合い難く、便が腰や背中へ回り込み難く、排泄の後には皮膚と便との接触を防ぎ、排泄物の処理が簡単容易であると共に、構造が簡単で、安価とすることが可能である。
【図面の簡単な説明】
【００２１】
【図１】本発明に係るおむつの実施形態の構成を示す組立斜視図。
【図２】本発明に係るおむつの実施形態に用いられる便袋を作成するためのシートを示す平面図。
【図３】本発明に係るおむつの実施形態に用いられる便袋の作成工程を示す斜視図。
【図４】本発明に係るおむつの実施形態に用いられる便袋の作成工程を示す平面図。
【図５】本発明に係るおむつの実施形態に用いられる便袋の作成工程を示す平面図。
【図６】本発明に係るおむつの実施形態における便袋に用いられる部品を示す平面図。
【図７】本発明に係るおむつの実施形態における便袋に用いられる部品が配置された状態を示す平面図。
【図８】本発明に係るおむつの実施形態に用いられる便袋要部の作成工程を示す断面図であり、図１におけるＩ−Ｉ線断面図。
【図９】本発明に係るおむつの実施形態に用いられる便袋要部の作成工程を示す断面図であり、図１におけるＩ−Ｉ線断面図。
【図１０】本発明に係るおむつの実施形態に用いられる便袋の要部平面図。
【図１１】本発明に係るおむつの第２の実施形態を示す要部の組立斜視図。
【図１２】本発明に係るおむつの実施形態に用いられる変形例である便袋の作成手順を示す平面図。
【図１３】本発明に係るおむつの実施形態に用いられる変形例である便袋の作成手順を示す斜視図。
【図１４】本発明に係るおむつの実施形態に用いられる変形例である便袋の作成手順を示す斜視図。
【図１５】本発明に係るおむつの実施形態の変形例に用いられるおむつ本体部を示す斜視図。
【図１６】本発明に係るおむつの実施形態に用いられるインナー便袋の第一の例を示す斜視図。
【図１７】本発明に係るおむつの実施形態に用いられるインナー便袋の第二の例を示す斜視図。
【図１８】本発明に係るおむつの実施形態に用いられるインナー便袋の第三の例を示す斜視図。
【図１９】本発明に係るおむつの第３の実施形態を示す組立斜視図。
【図２０】本発明に係るおむつの第３の実施形態の穴部の深さ方向に切断した断面図。
【図２１】本発明に係るおむつの第３の実施形態に用いる弾性ブロックを示す斜視図。
【図２２】図２１に示した弾性ブロックの断面図。
【発明を実施するための形態】
【００２２】
以下添付図面を参照して、本発明に係るおむつ及びインナー便袋の実施形態を説明する。各図において同一の構成要素には同一の符号を付して重複する説明を省略する。図１には、本発明に係るおむつの実施形態を示す組立斜視図が示されている。このおむつは、生体に触れる面に吸水性シート１１を備え、この吸水性シート１１の外側に防水シート１２を備えたおむつ本体部１０と、便袋２０とを主な構成要素としている。
【００２３】
防水シート１２は、生体の股に対応する中央部１３において幅狭に形成されており、前立部１４及び尻当部１５は中央部１３から端部へ向かって幅広く広がった概ね台形状をなしている。尻当部１５の両サイドには、粘着面を有する適宜な数の張付片１５Ａが設けられ、使用時に外側へ引き出して前立部１４の全面の所定位置に張り付けて、生体におむつを装着させることができる。
【００２４】
吸水性シート１１は、中央部１３の幅と概ね等しい幅にて長尺状に形成されて、防水シート１２の上に張り付けられている。吸水性シート１１の長尺の２辺には、その面から立設されたギャザー１６が形成され、このギャザー１６によって、便の漏れ防止が図られる。吸水性シート１１の中央部１３のギャザー１６よりも外側の防水シート１２上には、底面から立設された外側ギャザー１７が形成され、二重のギャザーにより便の漏れ防止が図られている。
【００２５】
おむつ本体部１０における肛門が位置する部位には、穴１８が貫通して形成されている。この穴１８の形状は、特に限定はないが、菱形や円形或いは楕円形等のように、吸水性シート１１の長手方向の両端が中央部よりも幅狭に形成されていると、大便の収納に好適である。
【００２６】
便袋２０は、穴１８から外側に便を収納する空間を備えるものであり、例えば図２に示すような長方形状の一枚のシートにより作成することができる。このシートは、横の長さＡが、穴１８の周囲長の２倍であり、縦の長さＢが便を収納するために必要な高さとして設計される。Ｂは、例えば４００ｍｍから６００ｍｍ程度とすることができる。
【００２７】
便袋２０構成するシートは、内側に吸水シート２１を有し、外側に吸水シート２１よりもやや大きめの例えば水は通過させないが通気性を有するポリオレフィン系のシートなどにより構成される防水シート２２が貼着されたものを採用することができる。横方向における上端部及び下端部に沿って、吸水シート２１と防水シート２２の間に適宜な幅の接着面を設ける。この接着面は、吸水シート２１と防水シート２２のそれぞれに備えさせて、熱や高周波や超音波による溶着によって接着することが好適であるが、両面接着テープを貼着することにより形成することもでき、穴１８と上記便袋２０の開口部とを結合する結合部２３を構成する。
【００２８】
結合部２３における粘着面と吸水シート２１または防水シート２２のいずれか一方の間には、図８、図９に示す緩衝部材２４が設けられる。この緩衝部材２４は、結合部２３における開口を維持させると共に床側からおむつ本体部１０を離間させる機能を有するもので、便袋２０の開口部の部材及び／または穴１８付近のおむつ本体部１０による部材によって構成することができ、便袋２０及び／または穴１８の端部を何度か折り込むか巻き込む等して厚みを持たせるように構成することができる。緩衝部材２４は、開口維持部材として結合部に厚みを持たせるものとすることができる。即ち、便袋２０の一部とおむつ本体部１０の一部以外の部材を含むように、別部材を折り込むか重ねる等して厚みを持たせるように構成することができる。
【００２９】
更に、結合部２３には、開口維持部材として、屈曲により形状を変化させる線材または棒材を設けることができる。棒材としては、布や紙により構成されるロープや紐を採用することができる。線材としては、細目の金属線、例えば針金などでも良いが、好適には図６に示すような、結束用に針金２５ａを樹脂シート(フィルム)２５ｂで被覆したビニタイなどと称される線材２５を用いることができる。このような線材２５（或いは棒材）は、結合部２３の長さに一致するようなものを図７に示すように、緩衝部材２４の中に包むようにして配置することができる。これらの緩衝部材２４や線材２５は、便袋２０の作成過程において配置することができ、または、便袋２０を穴１８に結合する際に配置することができる。
【００３０】
上記シートを用いて便袋２０を作成するための一例は、吸水シート２１の面を内側にして縦の半分から二つ折りし、図３に示すように二つ折りの丈寸法の三分の一から四分の一の部分を内側に折り返す。図３において、Ｈ１：Ｈ２＝１：３〜１：２とすることができる。この折り方は、ガゼット折などと称されるものである。このガゼット折りされたシートの両側端部２８を熱溶着して便袋２０を完成する。
【００３１】
上記のようにして作成された便袋２０をおむつ本体部１０に結合するためには、図８に示すように吸水シート２１と防水シート２２のそれぞれ結合部の接着面を引き離し、その間に図８、図９に示すように緩衝部材２４や線材２５を挟み込み、かつ穴１８の周端部１９を挟み込んで接着面において所要の溶着法による溶着を行うことにより接着させて固定してゆく。勿論、前述の通り、両面テープを用いて接着を行うこともできる。穴１８を菱形に形成した場合には、図４に示すように便袋２０の開口部の四分の一を穴１８の菱形の一辺に結合し、次に、上記結合した部分に続く便袋２０の開口部の四分の一を図５に示すように穴１８の菱形の続く一辺に結合し、以下同様にして便袋２０の開口部の全周囲を穴１８における菱形の全ての辺に結合し、作業を終了する。
【００３２】
以上のように構成されるおむつは、図８、図９から分かるように、緩衝部材２４が結合部２３に設けられ、結合部２３を厚くしてまた穴１８の開口を維持させることができる。また、穴１８を閉じた状態で流通させることができ、流通時にはコンパクトにすることができる。閉じられた開口は、容易に広げることができ開口を維持した状態で患者に装着指せることができる。また、結合部２３は緩衝部材２４によって厚みを生じ、穴の開口部の周囲に沿ってバンクのように便袋２０を見込むように構成され、床側からおむつ本体部１０を離間させるので、便と尿とが混じり合い難く、便が腰や背中へ回り込み難く、排泄の後には皮膚と便との接触を防ぎ、排泄物の処理が簡単容易であると共に、構造が簡単で、安価とすることが可能である。
【００３３】
図１０は、穴１８における、肛門側と尿道口側とに、撥水性のＵ字条に形成した撥水性の綿球２６を貼着したものである。これによれば、緩衝部材２４に加えて綿球２６によって形成されるバンクによって便が背中や腹側へ回り込み難い構成とすることができ、腹らか尿路側への侵入による尿路感染を防止することができ、また、背中側への回り込みによる仙骨部における褥瘡の発生を防止することができる。
【００３４】
図１１には、緩衝部材を、臀部が当接するおむつ本体部１０の内側または外側に設けられた弾性を有する弾性ブロック２４Ｄとして構成したものを示す。弾性ブロック２４Ｄは、スポンジ、ウレタンフォーム、低反発型ウレタンフォーム、発砲スチロールビーズ、硬綿、フェールト、椰子の実繊維、ジェル化ウレタン、天然ゴム、空気などの気体や水などの液体を入れたチューブ、繊維が絡み合って構成されたクッション材等弾性材により構成することができ、人体の臀筋に相当する形状を有する。例えば、楕円状や円形の形状を備え、全体がほぼ平坦でも良いが、周縁部から中央部分に向かうほど厚みを厚く構成することができる。
【００３５】
弾性ブロック２４Ｄはおむつ本体部１０の図１１に破線によって示す該当部位に固定的に張り付けてしまうこともできるが、着脱可能に設けるようにしても良い。いずれの場合においても、弾性ブロック２４Ｄは、前に示した緩衝部材と同様に、床側からおむつ本体部１０を離間させるので、便と尿とが混じり合い難く、便が腰や背中へ回り込み難く、排泄の後には皮膚と便との接触を防ぎ、排泄物の処理が簡単容易であると共に、構造が簡単で、安価とすることが可能である。
【００３６】
図１２〜図１４には、便袋２０を別の折り方によって構成する場合を示したものである。シートは、図２において説明したものと同じものを用いることができる。短辺の中央点ｘから左右に直角三角形を作るように、ｌ１とｒ１へ向けて吸水性シート１１が内側となるように折り込み、辺ｘｌと辺ｘｒを重ね合わせて熱溶着する。長さｌ１−ｘｌの三分の一程度の高さを示す線分ｈ１−ｈ２により三角形の先端部を、辺ｘｌと辺ｘｒを重ね合わせてた熱溶着部分側へ折り返す。
【００３７】
上記の状態で図１３の形状を呈する。即ち、図１２のｈ１から水平にｈ３まで延びる線分が、図１３の手前壁面の角辺ｈ１−ｈ３を構成し、図１２のｈ２から水平にｈ４まで延びる線分が、図１３の手前壁面の角辺ｈ２−ｈ４を構成する。また、図１２のｈ１から縦方向に延びる線分ｓ１は図１３の天板における奥側の辺ｓ１を構成し、図１２のｈ２から縦方向に延びる線分ｓ１は図１３の天板における奥側の辺ｓ２を構成する。
【００３８】
図１３の状態から、三角形ｘｈ１ｈ２をｘｒ（ｘｌ）側に折り込んで接着して、図１４に示すように箱型の一端部を構成することができる。以上説明した図１２〜図１４において説明した工程の作業を、図１２において省略されている上部側の端部においても行うことにより便袋２０を構成することができる。なお、図１２〜図１４において示されているｎは、結合部の接着剤面を示しており、この幅と厚みは適宜なものが用いられる。
【００３９】
本実施形態のおむつの便袋２０には、例えば図１６〜図１８に示すようなインナー便袋を介装して使用することができる。図１６に示すインナー便袋４０は、基本的に直方体が型の袋であって底部４１がＵ字状に緩やかに折り返された形状を有する。開口部の外周縁４２には着脱可能な接着面が設けられている。この接着面は、例えば両面接着テープなどにより構成される。インナー便袋４０の全体は、ビニールなどの樹脂により防水構造としても良いがある程度の時間は水に溶解することはないが便を包んだままトイレに流すと溶解するものであることが望ましく、また、袋内部に高吸水性高分子等の吸水素材を備えることができる。また、インナー便袋４０は、前述のおむつ本体部１０を構成するシートと同じ構成のシートを用いて作成されても良い。
【００４０】
図１７に示すインナー便袋４０Ａは、インナー便袋４０と同じ素材により構成され、単に一枚のシートの縁を熱圧着したものである。内部に吸収素材を備えても良いことは勿論である。図１７の構成について、更にガゼット折りとしても良い。図１８に示すインナー便袋４０Ｂは、インナー便袋４０Ａにおいて底部４３をガゼット折りして、入口の開口部４４に逆流阻止用の蓋４５を設けたものである。蓋４５の中央部には、便通過用穴４５ａが形成されている。その他の構成は、図１６、図１７のものと同様である。この構成により、一度、便袋の底側へ収納された便が蓋４５から逆流し難くなり、また逆流したとしても、その量は極僅かに留めることができる。このため、尿路感染の防止や褥瘡の発生の予防により効果的なものである。
【００４１】
上記のようなインナー便袋によれば、何度かの小便の蓄積、または大便の蓄積のときに、インナー便袋のみを交換すれば良く、交換によって尿路感染を防止や褥瘡の発生の予防に効果があり、また、おむつ全体を取り換える回数を減らせることができ、経済的である。
【００４２】
上記においておむつ本体部１０は、生体の股に対応する中央部１３において幅狭に形成されているものを示したが、図１５に示されるように、おむつ本体部１０Ａを長方形の形状としても良い。このような構成のおむつは、便袋２０に対応する袋などを備えるおむつカバーと共に用いることができる。
【００４３】
図１９には、図１１に示した弾性ブロック２４Ｄの変形例に係る弾性ブロック８０を臀部が当接するおむつ本体部１０の外側に設けるものを示す。弾性ブロック８０は、円環状の形状を有し、厚みは便袋２０の深さと以上とすることが望ましい。中央の穴部８１の径は、便袋２０を広げたときに便袋２０の外壁が弾性ブロック８０の内壁に当接するような寸法であることが望ましい。弾性ブロック８０の穴部８１から半径に沿って仙骨に当接する部分に溝を設けても良い。弾性ブロック８０は、ウレタンフォーム、低反発型ウレタンフォーム、硬綿、フェールト、椰子の実繊維、ジェル化ウレタン、天然ゴム、空気などの気体や水などの液体を入れたチューブ、繊維が絡み合って構成されたクッション材等により構成することができ、外側を吸湿性及び通気性の良い布やシートにより被覆したものとすることができる。
【００４４】
図９に示す状態のおむつの便袋２０を、弾性ブロック８０の穴部８１に挿入し、便袋２０の側壁を穴部８１の側壁に沿わせるようにして便袋２０の穴１８を広げて、便袋２０が穴部８１にフィットした状態とする。図１９に示す弾性ブロック８０において、少なくとも穴部８１の周縁、または、おむつ本体部１０に当接する表面の少なくとも一部が面接状ファスナーや接着剤など接着手段により、おむつ本体部１０に当接して結合する。この状態の断面図を図２０に示す。接着手段は、着脱自在に接着するものである方が好適である。
【００４５】
上記のようにされたおむつを患者に装着させる。これによって、バンク状の結合部２３が患者の肛門を中心とした臀部にしっかりと当接すると共に、便袋２０の穴１８が広がった状態のまま装着されることになる。従って、排出された便は基本的に便袋２０の穴１８における底部へ収納される。この状態では、便が肛門側へ付着し難く、また臀部から背中や腹部へ回り込むことを防ぐことができる。これは、管理排便を行うときに極めて好適であり、医療の立場から要望されているおむつとしての条件を完璧に満足するものである。
【００４６】
しかも、上記のようにされたおむつは、患者が寝た状態においても又は車椅子等において腰掛けた状態においても弾性ブロック８０によって便袋２０の穴１８が広がった状態を保持する。即ち、患者が起きているときも寝ているときも、便が肛門側へ付着し難く、また臀部から背中や腹部へ回り込むことを防ぐことができる。
【００４７】
第３の実施形態に係るおむつに用いられている弾性ブロック８０を改良した弾性ブロック８０Ｎを、図２１、図２２に示す。この弾性ブロック８０Ｎは、おむつ本体１０に接着される内側面８３と、おむつ本体１０に接着された状態において外側に露出する外側面８２とを有している。この弾性ブロック８０Ｎの平面形状は、円環形状である。
【００４８】
弾性ブロック８０Ｎの内側面８３は、図２２（ａ）、図２２（ｂ）に示すようにすり鉢状の凹部８３ａが形成され、おむつを装着したときに患者の尻部に沿ってフィットする形状が採用される。弾性ブロック８０Ｎの外側面８２は、おむつを装着した患者の臀部を大型化した如くの形状となっている。
【００４９】
図２１のＡ−Ａ断面である図２２（ａ）は、臀部に装着された弾性ブロック８０Ｎを装着状態の横方向に切断した状態を示す。従って、図においてハッチングされた左右の部位は、装着時に患者の左右の臀部に被さった状態となる部位である。この部位は、頂上部８２ｃにおいて最も厚く形成され、縁部８２ｓへ向かうにしたがって徐々に薄く形成され、縁部８２ｓから外側ではおむつ本体１０あるいは患者の臀部へ自然に連絡する形状に形成されている。また、頂上部８２ｃから穴部８１へ向かっては、急激に厚みが薄くなり、穴部８１の壁部となっている。
【００５０】
図２１のＢ−Ｂ断面である図２２（Ｂ）は、臀部に装着された弾性ブロック８０Ｎを装着状態の縦方向に切断した状態を示す。従って、図においてハッチングされた左右の部位は、一方が装着時の背中側に位置する部位であり、他方が装着時の臀部から足側に位置する部位である。この部位は、頂上部８２ｎにおいて最も厚く形成され、縁部８２ｋへ向かうにしたがって徐々に薄く形成され、縁部８２ｋから外側ではおむつ本体１０あるいは患者の背中（又は足）部へ自然に連絡する形状に形成されている。頂上部８２ｎの厚みは、頂上部８２ｃの厚みよりも薄く形成されていることが望ましい。縁部８２ｓと縁部８２ｋは、弾性ブロック８０Ｎの縁部において連続するものであり、弾性ブロック８０Ｎは、その縁部において薄く、臀部に相当する部位は厚くされている。
【００５１】
以上のように構成された弾性ブロック８０Ｎは、その他の点において弾性ブロック８０と同様である。以上の通り、縁部８２ｓから外側ではおむつ本体１０あるいは患者の臀部へ自然に連絡する形状に形成され、また、縁部８２ｋから外側ではおむつ本体１０あるいは患者の背中（又は足）部へ自然に連絡する形状に形成されているため、ズボンやパジャマのズボンなどを容易に着脱可能である。
【００５２】
本実施形態のおむつを装着した状態において、ズボンなどを佩かせる場合には、患者における足側等の身体からズボンなどのウエスト部分をおむつ側へ上昇させて着せてゆくと、縁部８２ｓや縁部８２ｋという肉薄部分へ至り、この縁部８２ｓや縁部８２ｋから抵抗なく頂上部８２ｎや頂上部８２ｃへと緩やかな斜面を滑らせるように着せてゆくことが可能である。ズボンなどを佩かせた状態では、ズボンなどのウエスト部分が縁部８２ｓや縁部８２ｋや身体のウエストに配置されることから、ズボンなどのウエスト部分を特注で大きなものとすることなく、大きめの既製品のズボンなどを佩かせることができる。
【００５３】
また、ズボンなどを脱がせる場合には、患者におけるウエストや背中等の身体からズボンなどのウエスト部分をおむつ側へ下げて着せてゆくと、縁部８２ｓや縁部８２ｋという肉薄部分へ至り、この縁部８２ｓや縁部８２ｋから抵抗なく頂上部８２ｎや頂上部８２ｃへと緩やかな斜面を滑らせるように脱がせてゆくことが可能である。このように改良された弾性ブロック８０Ｎを用いることによって、患者や要介護者への衣服の着脱を容易に短時間で済ませることが可能となる利点がある。
【符号の説明】
【００５４】
１０、１０Ａ  おむつ本体部
１１  吸水性シート
１２  防水シート
１３  中央部
１４  前立部
１５  尻当部
１５Ａ  張付片
１６  ギャザー
１７  外側ギャザー
１８  穴
１９  周端部
２０  便袋
２１  吸水シート
２２  防水シート
２３  結合部
２４  緩衝部材
２４Ｄ、８０、８０Ｎ  弾性ブロック
２５  線材
２５ａ  針金
２６  綿球
２８  両側端部
４０、４０Ａ、４０Ｂ  インナー便袋
【図１】
2014000327.tif 000003
【図２】
2014000327.tif 000004
【図３】
2014000327.tif 000005
【図４】
2014000327.tif 000006
【図５】
2014000327.tif 000007
【図６】
2014000327.tif 000008
【図７】
2014000327.tif 000009
【図８】
2014000327.tif 000010
【図９】
2014000327.tif 000011
【図１０】
2014000327.tif 000012
【図１１】
2014000327.tif 000013
【図１２】
2014000327.tif 000014
【図１３】
2014000327.tif 000015
【図１４】
2014000327.tif 000016
【図１５】
2014000327.tif 000017
【図１６】
2014000327.tif 000018
【図１７】
2014000327.tif 000019
【図１８】
2014000327.tif 000020
【図１９】
2014000327.tif 000021
【図２０】
2014000327.tif 000022
【図２１】
2014000327.tif 000023
【図２２】
2014000327.tif 000024